(57)【要約】      （修正有）【課題】ヌメ皮の特徴を利用する変形可能な人形を提供する。【解決手段】寸法出しした、ヌメ皮２の裏表面に接着剤を塗布したものを、軟鋼芯線１に巻きつけて設ける。これに数箇所を針金５で固定して、人形基礎体６として構成する。さらに、別のヌメ皮２を用意して、顔本体や手、腕、足や、その他の装飾体として、ハサミやカッターで切抜加工をしたものを、表面に水および湯等またはアルコールのような溶材でスプレー加工する。半乾きの状態に成った所で、このヌメ皮２に手指加工を施して仕上げる。そしてそれぞれを人形基礎体６に取り付けて設ける。また、軟鋼芯線１は自在に曲げる事が出来るので、顧客自身で人形の形を変えて楽しく観賞出来る。【選択図】図１
0003207844.tif 000002
【実用新案登録請求の範囲】
【請求項１】
ヌメ皮（２）の裏面に、接着剤（４）を塗布する、そしてつぎに、この塗布されたヌメ皮（２）を軟鋼芯線（１）に巻きつけて、つまり巻付加工を施して設け、これに数箇所を針金（５）で固定して、人形基礎体（６）として形成構成する、さらに、別のヌメ皮（２）を用意して、顔本体（７）や手、腕、足（８）や、その他の装飾体（９）として、ハサミやカッター（１０）で切抜加工をしたものを、表面に水や湯あるいはアルコールのような溶剤でスプレー加工（３）して、手仕上げで加工し易くして、半乾きの状態に成った所で、このヌメ皮（２）に手指加工（１１）を施して仕上げ、それぞれ人形基礎体（６）に取付けて固定して設ける、この様な特徴より成る、自在にポーズを変えることのできる人形。
【考案の詳細な説明】
【技術分野】
【０００１】  本考案は、自在に形、ポーズを変える事ができる人形に関するものである。
【背景技術】
【０００２】  従来、人形は出来上がったものを、そのまま観賞して楽しむように扱われている。
【考案が解決しようとする課題】
【０００３】  現在、人形にもっと想像や夢を持たせて、生活の中で只、人形を見る度に、ユーモアとか美的感覚を貰ったり、置かれているだけで人々の感性に、何が訴えるものが、あるような存在にしたい。つまりこれを眺めるだけで、楽しいとか、可愛いとか、綺麗とか、凄いとか、利用者の感情感性に何か暖かいものが流れる様な物にしたい。また、人形工房に於いても、その製作方法を簡素化するために、とくに皮材料の加工に特徴を持たしたい。さらに、この人形を購入したユーザー自身で、人形の形を変化させて、自分のオリジナル人形にする。
しかし、今の人形にはそこまで考えたものは皆無であった。
これらの問題点を改善し、今までにない有効な本考案がなされたのである。
【課題を解決するための手段】
【０００４】  本考案は出来る限りの簡単構成で形成されている。以下解決手段を説明する。
まず、人形基礎体（６）を作成する。図１、図２のごとくヌメ皮（２）の裏表面に接着剤（４）を塗布したものを、軟鋼芯線（１）に巻きつけ加工（１１）して設け、これに数箇所を針金（５）にて固定して、人形基礎体（６）として構成する。この人形基礎体（６）は、どの箇所でも指の力で、誰でも簡単に曲げる事が出来る。さらに、別のヌメ皮（２）を用意して、顔本体（７）や手・腕・足（８）および、その他洋服などの、装飾体（９）を、ハサミやカッター（１０）で切抜加工したものを、その表面に水や湯、またアルコールのような溶材で、スプレー加工（３）をして、それらを加工し易く柔らかにする。そして半乾きの状態になったところで、このそれぞれのヌメ皮（２）に手指加工（１１）を施して仕上げて、つぎに接着剤（４）を塗布して、これらを人形基礎体（６）に取り付けて設け、人形として形成完成させる。またヌメ皮（２）以外の材料、例えば、材料としてビロード、布、樹脂、木、ペーパー類、または、ヌメ皮以外の皮素材、あるいはその他の素地を利用しても良い。本考案は以上のような特徴よりなる、
自在にポーズを変えることのできる人形である。
【考案の効果】
【０００５】  １．本考案は、人形基礎体（６）が軟鋼芯線（１）で構成されているので、それのどんな箇所でも指で簡単に自在に曲げる事ができるので、人形の手を曲げたり、手を上げた状態にしたり、足を曲げたり、胴体を曲げたり、首を横に曲げたり、真っ直ぐにしたり、自分のその時の気持ちにより、人形のイメージを自由に変える事ができる。
２．また、工房に於いてもこの人形は、特にヌメ皮（２）を水や湯等で湿らして、顔や胴体、そして手や足、さらに服や装飾品まで、自由に作り上げる技術が完成した。
３．完成した人形の顔や手などに固形剤を塗布し、作ったシワが戻らないように硬く固定する事ができる。
【考案を実施するための最良の形態】
【０００６】  まず、ヌメ皮（２）の表面に図１および図２のごとく、ヌメ皮（２）の裏表面に接着剤（４）を塗布する。つぎにこの塗布されたヌメ皮（２）を、軟鋼芯線（１）に巻きつける、つまり図２のごとく、巻きつけ加工（１１）をして設ける。そしてこれに対して、図１のごとく数箇所を針金（５）で固定して、人形基礎体（６）として形成構成する。さらに、図３、図４図５のごとく用意されたヌメ皮（２）で、顔本体（７）および手・腕・足（８）そして、その他洋服などの装飾体（９）をハサミやカッター（１０）で切抜加工したものを、表面に水や湯およびアルコールのような溶材でスプレー加工（３）を行い、半乾きの状態になったところで、この切抜いたそれぞれのヌメ皮（２）を手指加工（１１）で施して、仕上げて裏側に接着剤（４）を塗布して、これらを人形基礎体（６）に取り付けて固定し設け、人形として完成品として形成する。ここで一例として、一枚の皮に水分等を持たせ、柔らかくして、半乾きの頃に表現する顔の部分に、メリハリをつける為、シワをつけて表現する。つまり怒った顔、笑った顔と云うように、自在に表現加工ができる。そして乾くと硬くなり、表現加工した状態を保つ事になる。また材料として、ヌメ皮以外のものを使用する事は当然であり、特に装飾体（９）として布、ビロード、ペーパー類、木、樹脂などが利用される。
本考案は以上のような構成であり、これを使用実施するときには、【０００７】  このまま、工房で作られた形のまま（購入時のまま）で飾ってもよいが、軟鋼芯線（１）が人形の基礎骨格として出来ているので、手指の力だけで容易に人形の形を変えられるので、楽しみながら観賞できる。
【図面の簡単な説明】
【０００８】
【図１】  本考案の人形基礎体の斜視図である。
【図２】  本考案の加工説明図である。
【図３】  本考案の人形部位の加工説明図である。
【図４】  本考案の人形部位の加工説明図
【図５】  本考案の完成斜視図である。
【図６】  本考案の部品としての、顔等の加工説明図である。
【符号の説明】
【０００９】  １  軟鋼芯線
２  ヌメ皮
３  スプレー加工
４  接着剤
５  針金
６  人形基礎体
７  顔本体
８  手・腕・足
９  装飾体
１０  ハサミやカッター
１１  手指加工
１２  皮のシワで表現する
１３  全体を皮のシワで表現する
１４  面のように作る
１５  ひねる、曲げる、よじる
１６  切り抜き
【図１】
0003207844.tif 000003
【図２】
0003207844.tif 000004
【図３】
0003207844.tif 000005
【図４】
0003207844.tif 000006
【図５】
0003207844.tif 000007
【図６】
0003207844.tif 000008